(57)【要約】【課題】可倒式の左右側板と妻板との繋ぎ目に段差をなくして棺の外観の仕上がりを良好にし、簡単な加工作業により側板と妻板を製造可能にする。【解決手段】折畳式段ボール棺は、強化段ボール材をＶ溝に沿って箱状に折り曲げるもので、矩形の底箱２１と、可倒式の側板２２と、その前後にＶ溝を介して連結される折り代板２３と、折り代板２３の上方から落とし込まれて側板２２の起立状態を保持する下向きコ字状の妻板２４とを備える。側板２２は、側板本体部２２ａ、側板上端部２２ｂおよび側板折返し部２２ｃの棺前後端に、側板２２と折り代板２３とを折り曲げるためのＶ溝に沿って形成される側板繋ぎ面Ｆｓを有する。妻板２４は、妻板上端部２４ｂおよび妻板折返し部２４ｃの棺左右端に、平面方向から見て棺左右幅と一致する位置から棺内側に向けて互いに近づくように傾斜する面であって、側板繋ぎ面Ｆｓに重なる妻板繋ぎ面Ｆｔを有する。【選択図】図４
2019181155.tif 000002
【特許請求の範囲】
【請求項１】
強化段ボール材にＶ溝加工を施して、このＶ溝に沿って同強化段ボール材を折り曲げて箱状に組み上げるようにした段ボール棺であって、
平面方向から見て矩形の底箱と、
この底箱の左右上方に設けられる可倒式の側板と、
前記側板の前後にＶ溝を介して連結され、前記底箱の前後に向き合うように折り曲げられる折り代板と、
前記折り代板の上方から落とし込まれて前記側板の起立状態を保持する下向きコ字状の妻板と、を備えており、
前記側板は、
前記底箱の左右に立ち上げられる側板本体部と、
前記側板本体部の上端かつ前記折り代板よりも高い位置でＶ溝を介して棺内側に折り曲げられる側板上端部と、
前記側板上端部の棺内側端でＶ溝を介して下向きに折り曲げられる側板折返し部と、を有し、
前記妻板は、
前記折り代板の棺外側に重なる妻板本体部と、
前記妻板本体部の上端でＶ溝を介して棺内向きに折り曲げられる妻板上端部と、
前記妻板上端部の棺内側端でＶ溝を介して下向きに折り曲げられ、前記折り代板の棺内側に重なる妻板折返し部とを有しており、
さらに、前記側板は、前記側板本体部、前記側板上端部および前記側板折返し部の棺前後端に、同側板と同側板の折り代板とを折り曲げるためのＶ溝に沿って形成される側板繋ぎ面を有する一方、
前記妻板は、前記妻板上端部および前記妻板折返し部の棺左右端に、平面方向から見て棺左右幅と一致する位置から棺内側に向けて互いに近づくように傾斜する妻板繋ぎ面を有し、
前記折り代板の上方から前記妻板が落とし込まれて前記側板の起立状態が保持されるとき、前記側板繋ぎ面と前記妻板繋ぎ面とが重なり合うことにより、前記側板上端部と前記妻板上端部とが平面方向から見て直交方向に連結され、かつ、前記側板折返し部と前記妻板折返し部とが平面方向から見て直交方向に連結されることを特徴とする、折畳式段ボール棺。
【請求項２】
強化段ボール材にＶ溝加工を施して、このＶ溝に沿って同強化段ボール材を折り曲げて箱状に組み上げるようにした段ボール棺であって、
平面方向から見て矩形の底板と、
この底板の左右上方に設けられる可倒式の側板と、
前記側板の前後にＶ溝を介して連結され、前記底板の前後に向き合うように折り曲げられる折り代板と、
前記底板の前後にＶ溝を介して連結され、前記底板の前後に向き合うように折り曲げられる折り代板と、
前記折り代板の上方から落とし込まれて前記側板の起立状態を保持する下向きコ字状の妻板と、を備えており、
前記側板は、
前記底板の左右に立ち上げられる側板本体部と、
前記側板本体部の上端かつ前記側板の折り代板よりも高い位置でＶ溝を介して棺内側に折り曲げられる側板上端部と、
前記側板上端部の棺内側端でＶ溝を介して下向きに折り曲げられる側板折返し部と、を有し、
前記妻板は、
前記折り代板の棺外側に重なる妻板本体部と、
前記妻板本体部の上端でＶ溝を介して棺内向きに折り曲げられる妻板上端部と、
前記妻板上端部の棺内側端でＶ溝を介して下向きに折り曲げられ、前記折り代板の棺内側に重なる妻板折返し部とを有しており、
さらに、前記側板は、前記側板本体部、前記側板上端部および前記側板折返し部の棺前後端に、同側板と同側板の折り代板とを折り曲げるためのＶ溝に沿って形成される側板繋ぎ面を有する一方、
前記妻板は、前記妻板上端部および前記妻板折返し部の棺左右端に、平面方向から見て棺左右幅と一致する位置から棺内側に向けて互いに近づくように傾斜する妻板繋ぎ面を有し、
前記折り代板の上方から前記妻板が落とし込まれて前記側板の起立状態が保持されるとき、前記側板繋ぎ面と前記妻板繋ぎ面とが重なり合うことにより、前記側板上端部と前記妻板上端部とが平面方向から見て直交方向に連結され、かつ、前記側板折返し部と前記妻板折返し部とが平面方向から見て直交方向に連結されることを特徴とする、折畳式段ボール棺。
【請求項３】
請求項１または２記載の段ボール棺であって、前記妻板本体部の左右側端に強化段ボール材の切断面を覆い隠す目隠し材が設けられる、折畳式段ボール棺。
【請求項４】
請求項１記載の段ボール棺であって、前記底箱と前記側板とを上下に仕切る位置に、同位置における強化段ボール材の棺内側から外側に向けて切り込まれるＶ溝であって、前記側板を起立状態から折畳状態に切替可能なＶ溝が設けられる、折畳式段ボール棺。
【発明の詳細な説明】
【技術分野】
【０００１】
この発明は、強化段ボール材からなる折畳式段ボール棺に関し、詳しくは、可倒式の左右側板を妻板で保持するタイプの折畳式段ボール棺に関する。
【背景技術】
【０００２】
従来より、強化段ボール材にＶ溝加工を施して、このＶ溝に沿って同強化段ボール材を折り曲げて箱状に組み上げる段ボール棺が知られている。この種の段ボール棺には、箱状に折り曲げた強化段ボール材を接着剤等で固定して最初から棺の完成品とする固定式タイプと、棺の展開状態を半製品として作製し、この半製品を棺の使用時に組み立てて完成品とする折畳式タイプとがある。
本発明者らは、このような段ボール棺を開発する中で、折畳式段ボール棺として、矩形の底板の左右に可倒式の側板を連結しておき、この側板の起立状態を上方から落とし込んだ妻板により保持するものを提案している。
例えば図１６に示すように、従来形態（１）の段ボール棺１０Ａは、矩形の底板１Ａの左右に可倒式の側板２Ａが設けられる。これらの底板１Ａと側板２Ａの前後にはＶ溝を介して折り代板３Ａ，３Ｂが連結される。左右の側板２Ａをほぼ垂直に立ち上げ、折り代板３Ａ，３Ｂを底板１Ａの前後に向き合うように折り曲げる。
そして、折り代板３Ａ，３Ｂの上方から下向きコ字状の妻板４Ａを落とし込んで、左右の側板２Ａの起立状態を保持する。
このように段ボール棺１０Ａを組み上げることにより、使用前には棺をコンパクトに折り畳んだ状態にしておき、葬儀等で必要となったときには棺を迅速に組み上げて使用することが可能になる。
折畳式段ボール棺の構成としては、耐久性の向上のために、図１６に示すような段ボール棺の底板１Ａに代えて、底板の前後左右に枠状の板を立ち上げた底箱１Ｂを採用する場合もある（図１７参照）。このような段ボール棺では、底箱１Ｂの左右に可倒式の側板２Ｂが設けられることになる。
【０００３】
なお、このような折畳式段ボール棺に関する先行技術としては、特許文献１および２が開示されている。
【先行技術文献】
【特許文献】
【０００４】
【特許文献１】特開２００８−２７２１３５号公報
【特許文献２】特開２０１４−０００２８１号公報
【発明の概要】
【発明が解決しようとする課題】
【０００５】
ところが、このような従来形態（１）の折畳式段ボール棺は、折り代板３Ａ，３Ｂに下向きコ字状の妻板４Ａを被せるという構造上、妻板４Ａの左右幅が棺の左右幅よりも小さくなる。このため、妻板４Ａの外側部分で側板２Ａと妻板４Ａとの繋ぎ目に段差が生じ（図１６二点鎖線参照）、棺の前後に妻板４Ａの出っ張り部分が目立ちやすくなって、棺の外観が違和感のあるものになってしまう。
【０００６】
これに対し、図１７に示すように、側板と妻板との繋ぎ目にアリ溝とホゾとを採用して妻板の出っ張りを解消した折畳式段ボール棺がある。
例えば図１７に示す段ボール棺１０Ｂは、平面方向から見て矩形の底箱１Ｂの左右上方に可倒式の側板２Ｂ，２Ｂが設けられる。強化段ボール材からなる側板２Ｂと妻板４Ｂとの繋ぎ目部分に、アリ溝とホゾを加工した木片５，６が固定される。底箱１Ｂの左右に側板２Ｂを立ち上げ、妻板４Ｂを上方から落とし込む際に、一方の木片５のアリ溝に他方の木片６のホゾを差し込む。これにより、左右の側板２Ｂの起立状態が妻板４Ｂによって保持される。
【０００７】
しかしながら、このような従来形態（２）の折畳式段ボール棺では、木片５，６にアリ溝とホゾを加工する作業が面倒で、さらには、木片５，６を段ボール材の端部に固定するといった作業が必要になるため、このような作業に手間がかかり棺の製造コストが大きくなってしまう。
【０００８】
本発明は、このような現状に鑑みなされたもので、可倒式の左右側板と妻板との繋ぎ目に段差をなくして棺の外観の仕上がりを良好にし、しかも、簡単な加工作業により側板と妻板を製造可能にした折畳式段ボール棺を提供することを目的としている。
【課題を解決するための手段】
【０００９】
［第１発明］
前記課題を解決するための第１発明の折畳式段ボール棺は、
強化段ボール材にＶ溝加工を施して、このＶ溝に沿って同強化段ボール材を折り曲げて箱状に組み上げるようにした段ボール棺であって、
平面方向から見て矩形の底箱（２１）と、
この底箱の左右上方に設けられる可倒式の側板（２２）と、
前記側板の前後にＶ溝を介して連結され、前記底箱の前後に向き合うように折り曲げられる折り代板（２３，２３）と、
前記折り代板の上方から落とし込まれて前記側板の起立状態を保持する下向きコ字状の妻板（２４）と、を備えており、
前記側板（２２）は、
前記底箱の左右に立ち上げられる側板本体部（２２ａ）と、
前記側板本体部の上端かつ前記折り代板よりも高い位置でＶ溝を介して棺内側に折り曲げられる側板上端部（２２ｂ）と、
前記側板上端部の棺内側端でＶ溝を介して下向きに折り曲げられる側板折返し部（２２ｃ）と、を有し、
前記妻板（２４）は、
前記折り代板の棺外側に重なる妻板本体部（２４ａ）と、
前記妻板本体部の上端でＶ溝を介して棺内向きに折り曲げられる妻板上端部（２４ｂ）と、
前記妻板上端部の棺内側端でＶ溝を介して下向きに折り曲げられ、前記折り代板の棺内側に重なる妻板折返し部（２４ｃ）とを有しており、
さらに、前記側板（２２）は、前記側板本体部、前記側板上端部および前記側板折返し部の棺前後端に、同側板と同側板の折り代板（２３）とを折り曲げるためのＶ溝に沿って形成される側板繋ぎ面（Ｆｓ）を有する一方、
前記妻板（２４）は、前記妻板上端部および前記妻板折返し部の棺左右端に、平面方向から見て棺左右幅と一致する位置から棺内側に向けて互いに近づくように傾斜する妻板繋ぎ面（Ｆｔ）を有し、
前記折り代板の上方から前記妻板が落とし込まれて前記側板の起立状態が保持されるとき、前記側板繋ぎ面と前記妻板繋ぎ面とが重なり合うことにより、前記側板上端部と前記妻板上端部とが平面方向から見て直交方向に連結され、かつ、前記側板折返し部と前記妻板折返し部とが平面方向から見て直交方向に連結される構成とした。
【００１０】
第１発明の構成は、段ボール棺の側板上部における折返し構造を、そのまま下向きコ字状の妻板の繋ぎ目として利用する点に特徴がある。このような段ボール棺の折返し構造は、通常、棺の補強のために採用されるところ、第１発明の構成では、単なる補強に留まらず、側板と妻板との繋ぎ目の外観を美しく仕上げるために利用する。
図１６に示すように、下向きコ字状の妻板を採用する従来の折畳式段ボール棺では、棺角部分の寸法精度を高めるため、側板２Ａの折返し構造が折り代板３Ｂまで延長される。側板２Ａと折り代板３ＢとをＶ溝に沿って折り曲げると、これらの折返し構造が平面方向から見て９０゜折れ曲がって繋がり、棺の角部分となる。
第１発明の構成では、このような従来の折返し構造のうち、折り代板の折返し構造を省略し、この省略部分を下向きコ字状の妻板で埋めるようにしている。つまり、側板と折り代板を折り曲げるためのＶ溝に沿った面を側板繋ぎ面として使用し、他方、この側板繋ぎ面に合わせて、下向きコ字状の妻板の左右端面を、平面方向から見て棺内側に向けて互いに近づくように傾斜させ、妻板繋ぎ面として使用する。これにより、側板と妻板との繋ぎ目における段差解消と、側板および妻板の繋ぎ目形状のシンプル化を実現するものである。
【００１１】
第１発明の折畳式段ボール棺によれば、側板繋ぎ面と妻板繋ぎ面とが平面方向から見て棺左右幅と一致する位置から棺内側に向けて互いに近づくように傾斜する面で重なる。これにより、側板と妻板とがＶ溝を介して自然に折り曲げられたような格好になり、棺の外観の仕上がりを良好にすることができる。側板と妻板との繋ぎ目に段差をなくすことができるから、棺の前後に妻板の外側部分が出っ張るような外観になることがない。
【００１２】
また、第１発明の構成によれば、側板と妻板との繋ぎ目にアリ溝とホゾのような加工が不要で、このような加工を施した木片を強化段ボール材に固定する必要もない。このため、側板および妻板の繋ぎ目の加工作業が簡単で製造コストを抑えることができる。
また、側板と折り代板とを折り曲げるためのＶ溝に沿って、側板繋ぎ面を形成することができるため、これらの加工作業を同じ工程で行うことが可能になる。
【００１３】
［第２発明］
第２発明の折畳式段ボール棺は、
強化段ボール材にＶ溝加工を施して、このＶ溝に沿って同強化段ボール材を折り曲げて箱状に組み上げるようにした段ボール棺であって、
平面方向から見て矩形の底板（３１）と、
この底板の左右上方に設けられる可倒式の側板（２２）と、
前記側板の前後にＶ溝を介して連結され、前記底板の前後に向き合うように折り曲げられる折り代板（３３ａ）と、
前記底板の前後にＶ溝を介して連結され、前記底板の前後に向き合うように折り曲げられる折り代板（３３ｂ）と、
前記折り代板の上方から落とし込まれて前記側板の起立状態を保持する下向きコ字状の妻板（２４）と、を備えており、
前記側板（２２）は、
前記底板の左右に立ち上げられる側板本体部（２２ａ）と、
前記側板本体部の上端かつ前記側板の折り代板（３３ａ）よりも高い位置でＶ溝を介して棺内側に折り曲げられる側板上端部（２２ｂ）と、
前記側板上端部の棺内側端でＶ溝を介して下向きに折り曲げられる側板折返し部（２２ｃ）と、を有し、
前記妻板（２４）は、
前記折り代板の棺外側に重なる妻板本体部（２４ａ）と、
前記妻板本体部の上端でＶ溝を介して棺内向きに折り曲げられる妻板上端部（２４ｂ）と、
前記妻板上端部の棺内側端でＶ溝を介して下向きに折り曲げられ、前記折り代板（３３ａ，３３ｂ）の棺内側に重なる妻板折返し部（２４ｃ）とを有しており、
さらに、前記側板（２２）は、前記側板本体部、前記側板上端部および前記側板折返し部の棺前後端に、同側板と同側板の折り代板（３３ａ）とを折り曲げるためのＶ溝に沿って形成される側板繋ぎ面（Ｆｓ）を有する一方、
前記妻板（２４）は、前記妻板上端部および前記妻板折返し部の棺左右端に、平面方向から見て棺左右幅と一致する位置から棺内側に向けて互いに近づくように傾斜する妻板繋ぎ面（Ｆｔ）を有し、
前記折り代板の上方から前記妻板が落とし込まれて前記側板の起立状態が保持されるとき、前記側板繋ぎ面と前記妻板繋ぎ面とが重なり合うことにより、前記側板上端部と前記妻板上端部とが平面方向から見て直交方向に連結され、かつ、前記側板折返し部と前記妻板折返し部とが平面方向から見て直交方向に連結される構成とした。
【００１４】
第２発明は、棺底部の構成において、第１発明の底箱に代えて、底板を採用したものである。
第１発明の構成は、棺底部に底箱を採用することにより棺全体の強度（耐荷重性）が増すものの、底箱を製作する作業に手間がかかる。第２発明の構成によれば、矩形の底板の左右にＶ溝を介して直接側板を連結することができるため、強化段ボール材の加工作業が簡単になり、棺の製造コストをさらに抑えることができる。もちろん前述したような第１発明と同様の効果も得ることもできる。
【００１５】
［第３発明］
第３発明の折畳式段ボール棺は、第１発明または第２発明の構成を備えるものであって、前記妻板本体部の左右側端に強化段ボール材の切断面を覆い隠す目隠し材（Ｈ）が設けられる構成とした。
【００１６】
第１発明または第２発明の構成において、下向きコ字状の妻板を強化段ボール材で製作する場合、通常は、その左右側端面に強化段ボール材の切断面が現れる（図６および図９参照）。このような切断面のうち、妻板上端部と妻板折返し部の切断面は、棺の組み立て後に側板との繋ぎ目になって棺の外観に現れないが、妻板本体部の切断面は、棺前後の外観に現れることになる。
第３発明の構成によれば、妻板本体部の左右側端に目隠し材を設けることで、棺の前後の外観に強化段ボール材の切断面が現れることはない。これにより、棺の外観の仕上がりをさらに良好にすることができる。
目隠し材は、棺表面の色や柄と統一感のあるもので、シート、フィルム、布などで形成することができる。予め妻板本体部に設けてもよいし、棺の組み立てが完了してから、妻板本体部に設けてもよい。
【００１７】
［第４発明］
第４発明の折畳式段ボール棺は、第１発明の構成を備えるものであって、前記底箱と前記側板とを上下に仕切る位置に、同位置における強化段ボール材の棺内側から外側に向けて切り込まれるＶ溝であって、前記側板を起立状態から折畳状態に切替可能なＶ溝が設けられる構成とした。
【００１８】
第４発明の構成によれば、起立状態の側板がＶ溝に沿って棺の内側に折り曲がることにより折畳状態になる。このＶ溝は強化段ボール材の棺内側から外側に向けて切り込まれるため、棺の内側に隠れる。つまり、棺の外側から底箱と側板との間のＶ溝が見えない構成になるため、棺の側面を切れ目のないフラットな外観にすることができる。
また、左右の側板が棺の内側に向けて倒れるため、棺の折畳状態がコンパクトになり、棺の保管や運搬の作業性を良好にすることができる。
【００１９】
［第１〜４発明］
第１〜４発明において、棺の用途（人用、ペット用等）や棺桶の種類（寝棺、座棺等）や形状は、特に限定されることはない。
第１〜４発明の構成に加え、折り代板に妻板を落とし込んだ後に同妻板が上方へ移動するのを規制するロック手段を設けてもよい。例えば折り代板と妻板との隣接部分に、ロック手段としてダボ穴とこれに嵌まるダボを設ける。
このようなロック手段を設けることにより、棺の組み立て後に妻板の脱落を防止することができ、棺の信頼性を高めることができる。
第１〜４発明の折畳式段ボール棺は、強化段ボール材を主体として形成されるが、必要に応じて木材等で補強してもよい。
なお、第１〜４発明は、これらの発明を必要に応じて組み合わせて適用することができる。また、第１〜３発明に本明細書に記載される他の発明を組み合わせてもよい。
【図面の簡単な説明】
【００２０】
【図１】第１実施形態による折畳式段ボール棺を示す斜視図である。
【図２】同段ボール棺を示すもので、図１の［２］−［２］線断面図である。
【図３】同段ボール棺の側板を倒した状態を示す断面図である。
【図４】同段ボール棺の棺本体を示す一部切り欠き組立分解斜視図である。
【図５】同段ボール棺の棺本体を示すもので、側板の折り代板を折り曲げる前の状態を示す一部切り欠き斜視図である。
【図６】同段ボール棺の妻板を示すもので、（Ａ）は平面図、（Ｂ）は正面図、（Ｃ）は側面図である。
【図７】同妻板の展開状態を示すもので、（Ａ）は平面図、（Ｂ）は正面図、（Ｃ）は側面図である。
【図８】同段ボール棺の側板に妻板を落とし込む様子を示した断面図である。
【図９】同妻板のロック手段の一例を示すもので、（Ａ）は平面図、（Ｂ）は側面図である。
【図１０】第２実施形態による折畳式段ボール棺を示す斜視図である。
【図１１】同段ボール棺の棺本体を示す一部切り欠き組立分解斜視図である。
【図１２】第３実施形態による折畳式段ボール棺の棺本体を示す一部切り欠き組立分解斜視図である。
【図１３】第４実施形態による折畳式段ボール棺の棺本体を示す一部切り欠き組立分解斜視図である。
【図１４】同段ボール棺を示すもので、図２に対応した断面図である。
【図１５】同段ボール棺の側板を倒した状態を示すもので、図３に対応した断面図である。
【図１６】従来形態（１）による折畳式段ボール棺の棺本体を示す一部切り欠き組立分解斜視図である。
【図１７】従来形態（２）による折畳式段ボール棺の棺本体を示す一部切り欠き組立分解斜視図である。
【発明を実施するための形態】
【００２１】
以下、本発明の実施形態を図面に基づいて説明する。なお、以下に記載の実施形態およびその変形例は、本発明を適用した形態の一例であり、発明の範囲がこれらの実施形態に限定されるものではない。
【００２２】
［第１実施形態］
図１に示すように、段ボール棺１０は、棺本体１２と蓋１３とからなる。棺本体１２の上方に蓋１３が設けられ、蓋１３の片寄りの位置に窓枠１４が設けられる。この窓枠１４には観音扉が取り付けられ、これらの扉を開くことで棺の内部が覗けるようになっている。
段ボール棺１０の寸法は、例えば前後の棺長さ（長辺）が１７０〜２００ｃｍ程度、左右の棺幅（短辺）が５０〜７０ｃｍ程度、高さが４０〜５０ｃｍ程度である。
【００２３】
棺本体１２および蓋１３は、強化段ボール材により形成される。棺本体１２は、展開形状にカットされた強化段ボール材にＶ溝加工を施し、この段ボール材をＶ溝に沿って箱状に折り曲げることにより形成される。
強化段ボール材としては、例えば、板厚１０〜２０ｍｍ程度の三層強化段ボール材（例えばトライウォール社製）が採用される。この種の段ボール材は、図２のＲ部分拡大図に示すように、２枚の厚板（ライナー）Ｒb，Ｒfとの間に、３層の波板ｒ1〜ｒ3が仕切り板ｒ4およびｒ5を介して積層されてなるもので、優れた耐圧性・耐水性をもつ。
【００２４】
強化段ボール材に折曲げ用のＶ溝を形成する際には、これらの層のうち厚板Ｒf，Ｒbのいずれかを残して他の層を回転刃等を用いて切削する。強化段ボール材を折り曲げる場合、残した片方の厚板（ライナー）のみを折り曲げてＶ溝の溝面を互いに密着させる。Ｖ溝の溝角がほぼ９０゜になるようにＶ溝加工を施せば、隣り合う板材同士がほぼ垂直に折れ曲がる。１８０゜を超えない範囲で溝角を設定することで、強化段ボール材を自在の角度に折り曲げることができる。
このように強化段ボール材をＶ溝で折り曲げることにより、厚板（ライナー）の折り曲げ部分がヒンジとなって、折り曲げた板材同士の切れ目がＶ溝の反対側に隠れることになる。これにより、棺本体１２の角部の寸法精度が向上し、外観の仕上がりを良好にすることができる。なお、Ｖ溝加工の手段としては、プレス機等で強化段ボール材を断面Ｖ字状に圧縮してもよい。
【００２５】
段ボール棺１０の表面には、必要に応じて布やフィルムなどの化粧シートが貼り付けられる。このような化粧仕上げ施すことで、段ボール棺１０の質感が高められる。強化段ボール材の表面に予め木目などの化粧柄をプリントしておき、このような強化段ボール材を箱状に組み立てて段ボール棺１０とすることも可能である。
【００２６】
図４に示すように、棺本体１２は、底箱２１、左右の側板２２，２２、折り代板２３，２３、および妻板２４を備えている。底箱２１は、平面方向から見て縦長矩形になっており、この底箱２１の左右上方に可倒式の側板２２が設けられる。これらの側板２２の前後には、Ｖ溝を介して折り代板２３が連結される。
【００２７】
底箱２１は、予め強化段ボール材を箱状に折り曲げて接着剤等で固定される。底箱２１の左右上方には側板２２が連結されており、これらが一枚の強化段ボール材により一体的に形成されている。
底箱２１の製法は特に限定されないが、本実施形態では、矩形の底板の左右に側板２１ａ、前後に台形の妻板２１ｂがそれぞれＶ溝を介して連結されている。側板２１ａの前後には三角形の折り代板２１ｃがＶ溝を介して連結される。これらの側板２１ａ、妻板２１ｂおよび折り代板２１ｃがＶ溝に沿って折り曲げられ、各Ｖ溝面が接着剤等で固定されることで底箱２１が組み上げられる。側板２１ａと折り代板２１ｃの折り曲げ部分となる底箱２１の角部分は、隣り合う板同士のズレがなく、良好な外観の仕上がりとなる。
【００２８】
底箱２１と側板２２との間は、強化段ボール材に切り込まれたＩ溝１８（図３参照）により仕切られている。Ｉ溝１８は、前述した強化段ボール材の積層構造のうち、棺内側の厚板（ライナー）のみを残して残りの部分を切断してなる。
図２に示すように、底箱２１と側板２２との間のＩ溝１８は、棺外側から内側に向けてほぼ水平に形成されている。これにより、左右の側板２２は底箱２１の上方に向けた起立状態から棺内側に倒れた折畳状態になる（図３参照）。このように側板２２を内側に倒れるようにすることで、棺を折り畳んだ状態をコンパクトにすることができ、保管や運搬の作業性を良好にすることができる。
【００２９】
なお、本実施形態は、上記のように側板２２を棺内側に倒す構造を採用するため、棺本体１２の側面にＩ溝１８による切れ目が現れることになる。これに対し、他の実施形態として、棺内側から外側に向けてＩ溝を形成してもよい。この場合、外側の厚板（ライナー）の折れ部分がヒンジとなって側板２２を底箱２１の外側に倒す構造となるため、底箱２１と側板２２との間のＩ溝１８による切れ目を棺の内側に隠すことができる。
【００３０】
図５は、底箱２１の左右上方に側板２２を立ち上げた状態を示している。この状態から底箱２１の前後に向き合うように、折り代板２３を側板２２に対してほぼ垂直に折り曲げると、図４に示すように、折り代板２３,２３が底箱２１の前後上方に隙間Ｓを保って立ち上がった状態になる。そして、この状態で折り代板２３の上方から下向きコ字状の妻板２４が落とし込まれると、可倒式の側板２２の起立状態が妻板２４によって保持される。
【００３１】
図２に示すように、側板２２は、側板本体部２２ａ、側板上端部２２ｂおよび側板折返し部２２ｃを備えている。側板本体部２２ａの上端でＶ溝を介して側板上端部２２ｂが棺内向きに折り曲げられ、この側板上端部２２ｂの棺内側端でＶ溝を介して側板折返し部２２ｃが下向きに折り曲げられる。これらの各部は、折り返した状態で予め接着剤等で固定される。
このようにＶ溝に沿って各部を折り曲げることにより、棺本体１２（側板２２）の開口端（上端）が段ボール材の切断面の見えないフラットな面となる。また、側板上端部２２ｂおよび側板折返し部２２ｃの折返し構造によって棺本体１２の強度が向上する。
【００３２】
図４および図５に示すように、側板本体部２２ａ、側板上端部２２ｂおよび側板折返し部２２ｃの前後端には、側板繋ぎ面Ｆｓが形成される。この側板繋ぎ面Ｆｓは、側板２２と折り代板２３とを折り曲げるためのＶ溝に沿って延長される面であり、側板本体部２２ａ、側板上端部２２ｂおよび側板折返し部２２ｃを折返した後、この段ボール材に折り代板２３を折り曲げるためのＶ溝加工を施すことにより同時に形成される。
【００３３】
図６および図７に示すように、妻板２４は、妻板本体部２４ａと、妻板上端部２４ｂと、妻板折返し部２４ｃとを備えている。妻板本体部２４ａの上端でＶ溝２８（図７参照）を介して妻板上端部２４ｂが折り曲げられ、妻板上端部２４ｂの棺内側端で妻板折返し部２４ｃがＶ溝２９（図７参照）を介して下向きに折り曲げられる。これにより、これらの部位が棺側面方向から見て下向きコ字状の形状になる（図６（Ｃ）参照）。
【００３４】
妻板本体部２４ａは、棺の妻面とほぼ同じサイズの矩形に形成されており、妻板折返し部２４ｃは、棺内に収まるように妻板本体部２４ａよりも小さいサイズの矩形に形成されている。妻板上端部２４ｂは、妻板本体部２４ａと妻板折返し部２４ｃとを繋ぐように平面方向からみて台形の板面になるように形成される（図７（Ｂ）参照）。
【００３５】
妻板上端部２４ｂと妻板折返し部２４ｃの側端面は、棺上方（平面方向）から見て棺左右幅と一致する位置から棺内側に行くに従い互いに近づくように傾斜している。つまり、妻板上端部２４ｂの台形の傾斜に合わせて妻板折返し部２４ｃの端面がカットされる。このように加工された妻板上端部２４ｂと妻板折返し部２４ｃの端面が妻板繋ぎ面Ｆｔとなる（図６参照）。
【００３６】
妻板本体部２４ａと妻板折返し部２４ｃとの間には中板２５が挟み込まれている。この中板２５は、強化段ボール材からなるもので、中板２５の厚みは、折り代板２３の厚みと等しく、そのサイズは、左右の折り代板２３の間にできる隙間Ｓより若干小さい程度である。折り代板２３の上方から妻板２４を落とし込んだとき、この隙間Ｓに中板２５がぴったりと収まる（図８参照）。
このような中板２５を採用することで妻板２４の形状を安定させることができる。加えて、妻板繋ぎ面Ｆｔと側板繋ぎ面Ｆｓとの位置ズレを防止し、棺の寸法精度を向上させることが可能になる。これらの妻板２４を構成する各板は、予め接着剤等で固定され、図６の形態に保たれる。
【００３７】
ここで、第１実施形態において、棺本体１２には、図９に示すように、組み立て後に妻板２４が抜けるのを防止するロック手段としてダボ２７が取り付けられる。底箱２１と妻板２４との隣接部分、および折り代板２３と妻板２４との隣接部分にダボ穴を設けておき、これらのダボ穴にダボ２７を差し込んで妻板２４と折り代板２３とを固定する。図９の例では、妻板２４の棺内側から見て左右端部（折り代板２３と妻板２４との隣接部分）にそれぞれ２箇所、下端部（底箱２１と妻板２４との隣接部分）に２箇所の計６箇所にダボ２７を設けている（図６参照）。
【００３８】
このような構成によれば、棺本体１２を組み立てた後に妻板２４を引き上げようとしても、ダボ２７が折り代板２３に引っかかるため、妻板２４の移動を規制することができる。これにより、折り代板２３と側板２２のガタ付きを抑えることができ、棺本体１２の形状安定性をさらに向上させることが可能になる。
なお、妻板２４の上方への移動を規制するロック手段としては、ダボ２７に限定されることなく、係止爪やピン等を採用してもよい。棺の使用後に折り畳む必要がない場合には、折り代板２３と妻板２４との接触面を接着剤で固定することも可能である。
【００３９】
棺本体１２を組み立てる場合、まず、図３のように折り畳まれた左右の側板２２を起こして底箱２１の上方に立ち上げ、前後の折り代板２３を底箱２１の前後に向き合うように折り曲げる（図４参照）。この状態で折り代板２３の上方から妻板２４を落とし込んで側板２２の起立状態を保持する。
折り代板２３の上方から妻板２４を落とし込むとき、側板繋ぎ面Ｆｓに妻板繋ぎ面Ｆｔがスライドしながら妻板２４が下方に移動し、妻板２４の下端は、折り代板２３を前後に挟む位置から底箱２１の妻板２１ｂおよび折り代板２１ｃを前後に挟む位置に達する。妻板２４が最も下の位置まで来ると、図１に示すように、棺正面の外観となる。このとき、側板繋ぎ面Ｆｓと妻板繋ぎ面Ｆｔとが重なり合うことにより、棺上方（平面方向）から見て側板上端部２２ｂと妻板上端部２４ｂとが直交方向に連結され、これらが同じ高さに連なる。側板折返し部２２ｃと妻板折返し部２４ｃとは、棺上方（平面方向）から見て直交方向に連結される。そして、折り代板２３の間に中板２５が収まることになる。
【００４０】
第１実施形態の段ボール棺によれば、棺本体１２を組み立てると、側板２２と妻板２４とがＶ溝を介して自然に折り曲げられたような格好になる（図１参照）。側板２２と妻板２４との繋ぎ目に段差をなくすことができるから、棺の前後に妻板２４の外側部分が出っ張るような形になることもなく、棺の外観の仕上がりを良好にすることができる。
【００４１】
また、第１実施形態の段ボール棺によれば、側板繋ぎ面Ｆｓと妻板繋ぎ面Ｆｔとが共に段差のない平面であるため、Ｖ溝加工用の回転刃等でこれらの繋ぎ面を単一工程（ワンカット）で仕上げることができる。このため、側板２２および妻板２４の繋ぎ目の加工作業が簡単で製造コストを抑えることができる。
側板２２と妻板２４との繋ぎ目にアリ溝とホゾのような加工が不要で、このような加工を施した木片を強化段ボール材に固定する作業も必要ない。
【００４２】
第１実施形態において、強化段ボール材で妻板２４を製作する場合、その左右側端面に強化段ボール材の切断面が現れる（図６参照）。このような切断面のうち、妻板上端部２４ｂと妻板折返し部２４ｃの切断面は、棺の組み立て後に側板２２との繋ぎ目になって棺の外観に現れないが、妻板本体部２４ａの切断面は、棺前後の外観（側面）に現れる。
この対策として、妻板本体部２４ａの左右側端に、図９（Ａ）の符号Ｈで示す目隠し材Ｈを貼り付けてもよい。
【００４３】
妻板本体部２４ａの左右側端に目隠し材Ｈを設けることにより、棺前後の外観に強化段ボール材の切断面が現れるのを防止することができ、棺の外観の仕上がりをさらに良好にすることができる。
なお、目隠し材Ｈは、棺表面の色や柄と統一感のあるシート、フィルム、布などを採用することができる。予め妻板本体部２４ａの左右側端（切断面）に貼り付けておいてもよいし、棺表面の装飾材を延長させて妻板本体部２４ａの左右側端（切断面）を覆うようにしてもよい。
【００４４】
［第２実施形態］
次に、第２実施形態の折畳式段ボール棺を図１０および図１１に示す。第２実施形態は、棺本体１２の底箱２１に代えて、底板３１を採用したものである。
段ボール棺３０は、第１実施形態と同様、箱状の棺本体１２と、この棺本体１２に被せられる蓋１３とを備えている。
図１１に示すように、棺本体１２は、底板３１と、側板２２と、妻板２４とを備えている。底板３１の左右に、Ｖ溝の折り曲げ部分をヒンジとする可倒式の側板２２が設けられる。側板２２の前後には、Ｖ溝を介して折り代板３３ａ，３３ａが連結され、底板３１の前後にはＶ溝を介して折り代板３３ｂが連結されている。妻板２４の構成は、第１実施形態と実施的に同様である。
側板繋ぎ面Ｆｓは、側板本体部２２ａと、側板上端部２２ｂと、側板折返し部２２ｃの前後端に、側板２２と折り代板３３ａとを折り曲げるためのＶ溝に沿って形成される。妻板繋ぎ面Ｆｔは、第１実施形態と同様に、妻板上端部２４ｂと妻板折返し部２４ｃの側端に、棺上方（平面方向）から見て棺左右幅と一致する位置から棺内側に行くに従い互いに近づくように傾斜して形成される。
【００４５】
第２実施形態の棺本体１２を組み立てる場合、側板２２、折り代板３３ａ、３３ｂが平面上に連なった展開状態から、まず底板３１の左右上方に側板２２を立ち上げ、側板２２の前後で折り代板３３ａを棺前後に向き合うように折り曲げる。底板３１の折り代板３３ｂも同様に棺前後に向き合うように折り曲げる（図１１参照）。
このような状態で妻板２４を上方から折り代板３３ａ，３３ｂに落とし込んで、左右の側板２２の起立状態を保つ。このとき、側板繋ぎ面Ｆｓと妻板繋ぎ面Ｆｔとが重なり合うことにより、棺上方（平面方向）から見て側板上端部２２ｂと妻板上端部２４ｂとが直交方向に連結され、これらが同じ高さに連なる。側板折返し部２２ｃと妻板折返し部２４ｃとは、棺上方（平面方向）から見て直交方向に連結される。折り代板３３ａ，３３ｂの隙間Ｓには中板２５（図示省略）が収まる。
【００４６】
第２実施形態の段ボール棺３０においても、第１実施形態と同様に、棺本体１２の組み立て後に側板２２と妻板２４とがＶ溝を介して自然に折り曲げられたような格好になり（図１０参照）、棺の外観の仕上がりを良好にすることができる。側板２２と妻板２４との繋ぎ目に段差が生じないため、棺の前後に妻板２４の外側部分が出っ張るような外観になることもない。
また、底板３１の左右に直接側板２２が立ち上げられるため、棺側面にＩ溝１８（図４参照）による切れ目をなくすこともできる。
さらに、第２実施形態よれば、第１実施形態のような底箱の製作が不要となるため、強化段ボール材の加工工程が少なくなり、棺の製造コストをさらに抑えることができる。
【００４７】
［第３実施形態］
第３実施形態の折畳式段ボール棺を図１２に示す。第３実施形態は、折り代板２３と妻板２４との間に位置決め手段を設けたものである。
図１２に示すように、段ボール棺４０は、基本的には第１実施形態と共通の棺本体１２を備えている。
左右の側板２２に連結される折り代板２３にそれぞれ上方から所定長さのスリット４１，４１が設けられる。妻板２４の内側には中板２５の左右側方に各スリット４１の位置に合わせて結合片４２，４２が固定されている。結合片４２の長さは、スリット４１よりも短く形成される。その他の構成については第１実施形態と実質的に同様である。
【００４８】
折り代板２３の上方から妻板２４を落とし込むと、折り代板２３の間（隙間Ｓ）に妻板２４の中板２５が収まり、同時に、各スリット４１に結合片４２が挿入される。側板繋ぎ面Ｆｓと妻板繋ぎ面Ｆｔとは、互いに重なって側板２２と妻板２４との間に隠れる。
【００４９】
第３実施形態によれば、第１実施形態と同様な効果に加え、スリット４１と結合片４２とが嵌まり合うことで、折り代板２３に対して妻板２４を正確に位置決めすることができる。また、側板２２の展開を確実に抑えることができるので、側板２２に負荷がかかっても妻板２４がズレにくくなり、棺の形状をより安定させることができる。
【００５０】
［第４実施形態］
第４実施形態の折畳式段ボール棺を図１３〜図１５に示す。第４実施形態は、棺本体１２の外観に底箱２１と側板２２の切れ目が見えないようにしたものである。
前述したように、第１実施形態の構造では、側板２２を起立状態から折畳状態にするために棺本体１２の側面、すなわち底箱２１と側板２２とを仕切る位置にＩ溝１８が設けられている。このＩ溝は、強化段ボール材の棺内側の厚板（ライナー）を残して棺外側から内側に向けて切り込まれている。このため、この厚板（ライナー）の折れ部分がヒンジとなって側板２２を棺内側に向けて倒すことができる。
しかしながら、このような構造では、折畳式段ボール棺の組み立て後に、棺本体１２の側面にＩ溝１８による切れ目が現れて見た目が好ましくないことがある。特に、葬儀の際には、祭壇の前に置かれた棺の側面が参列者から直接見える場合があり、その外観はフラットであることが望ましい。
これに対して、前述したように、強化段ボール材の棺内側から外側に向けてＩ溝１８を切り込むようにすると、棺本体１２の内側にＩ溝１８による切れ目を隠して棺本体１２の側面の外観をフラットにすることができる。しかしながら、このような構成では、左右の側板２２が棺の外向きに倒れることになるため、棺本体１２をコンパクトに折り畳むことが難しくなる。
【００５１】
上記のような課題を解決するために、第４実施形態の折畳式段ボール棺５０は、第１実施形態の棺本体１２のＩ溝１８に代えてＶ溝５１を採用したものである。
図１３および図１４に示すように、棺本体１２は、底箱２１の左右上方に可倒式の側板２２が設けられる。棺本体１２の内側であって底箱２１と側板２２とを仕切る位置に、側板２２，２２を起立状態から折畳状態に切替可能なＶ溝５１，５１が設けられている。
これらのＶ溝５１，５１は、同位置における強化段ボール材の棺外側の厚板（ライナー）を残して棺内側から外側に向けて切り込まれる。棺本体１２の長さ方向に沿って連なっており、溝断面はほぼ９０゜に保たれる。この厚板（ライナー）の折れ部分がヒンジとなることにより、側板２２，２２が起立状態から棺内側に向けて倒れるようになっている（図１５参照）。棺本体１２を組み立てる手順は、第１実施形態と同様である。
【００５２】
第４実施形態の折畳式段ボール棺５０によれば、第１実施形態の効果に加え、側板２２を折り畳むためのＶ溝５１を棺の内側に隠すことができる。このため、側板２２を立ち上げた後の棺本体１２の側面が底箱２１と側板２２の切れ目のないフラットな外観となる（図１３参照）。
また、左右の側板２２，２２が棺本体１２の内側に向けて倒れるため、棺本体１２の折畳状態がコンパクトになり、棺の保管や運搬の作業性を良好にすることができる。
なお、第４実施形態では、棺本体１２を組み立てる際に折り代板２３に妻板２４を落とし込むと、側板２２の起立姿勢が安定する。このため、起立状態の側板２２と底箱２１との間にＶ溝５１による隙間があっても、棺本体１２の形状安定性を十分確保することができる。
【００５３】
［変形例］
以上、本発明の実施形態による棺桶を説明したが、本発明の実施形態は、これらの構成に限定されることなく、種々の変形や変更を伴ってもよい。
第１〜４実施形態では、強化段ボール材で段ボール棺（棺本体１２、蓋１３および窓枠１４）を形成するものであるが、必要に応じて、木片等を段ボール材に組み込んでもよい。例えば底箱２１または底板３１に合板や集成材を重ねて貼り合わせると、棺の強度を高めて耐荷重性を向上させることができる。
また、前記実施形態では、平面的な形状の蓋を採用しているが、段ボール材を箱状に折り曲げることにより立体的な形状の蓋としてもよい。
【符号の説明】
【００５４】
１０・・段ボール棺（折畳式段ボール棺）
１２・・棺本体    １３・・蓋    １４・・窓枠    １８・・Ｉ溝
２１・・底箱    ２２・・側板    ２３・・折り代板    ２４・・妻板
２２ａ・・側板本体部    ２２ｂ・・側板上端部    ２２ｃ・・側板折返し部
２４ａ・・妻板本体部    ２４ｂ・・妻板上端部    ２４ｃ・・妻板折返し部
２５・・中板    ダボ（ロック手段）・・２７
３１・・底板    ３１ａ・・折り代板    ３３ｂ・・折り代板
５１・・Ｖ溝
Ｆｓ・・側板繋ぎ面    Ｆｔ・・妻板繋ぎ面    Ｈ・・目隠し材    Ｓ・・隙間
【図１】
2019181155.tif 000003
【図２】
2019181155.tif 000004
【図３】
2019181155.tif 000005
【図４】
2019181155.tif 000006
【図５】
2019181155.tif 000007
【図６】
2019181155.tif 000008
【図７】
2019181155.tif 000009
【図８】
2019181155.tif 000010
【図９】
2019181155.tif 000011
【図１０】
2019181155.tif 000012
【図１１】
2019181155.tif 000013
【図１２】
2019181155.tif 000014
【図１３】
2019181155.tif 000015
【図１４】
2019181155.tif 000016
【図１５】
2019181155.tif 000017
【図１６】
2019181155.tif 000018
【図１７】
2019181155.tif 000019